(57)【要約】【課題】低コストで軸方向の振動を吸収することができるプーリ装置を提供する。【解決手段】転がり軸受２０と、転がり軸受２０の外輪２１に取り付けられるプーリ部３０と、を備え、プーリ部３０は、外輪２１に取り付けられる内径側円筒部３１と、内径側円筒部３１の外径側に同心配置される外径側円筒部３２と、内径側円筒部３１と外径側円筒部３２の軸方向一端部同士を連結する円板状の連結部３３と、を有し、内径側円筒部３１、外径側円筒部３２、及び連結部３３により形成される内部空間３４に、弾性体４１と質量体４２からなる動吸振器４０が設けられ、動吸振器４０の弾性体４１は、円筒状の固定部４１ａと弾性部４１ｂからなる金属製の板状部材であり、プーリ部３０の軸方向に対して弾性を有し、プーリ部３０の軸方向の振動を吸収する構造である。【選択図】図１
2017115999.tif 000002
【特許請求の範囲】
【請求項１】
転がり軸受と、前記転がり軸受の外輪に取り付けられるプーリ部と、を備え、
前記プーリ部は、前記外輪に取り付けられる内径側円筒部と、前記内径側円筒部の外径側に同心配置される外径側円筒部と、前記内径側円筒部と前記外径側円筒部の軸方向一端部同士を連結する円板状の連結部と、を有し、
前記内径側円筒部、前記外径側円筒部、及び前記連結部により形成される内部空間に、弾性体と質量体からなる動吸振器が設けられるプーリ装置であって、
前記動吸振器の前記弾性体は、円筒状の固定部と弾性部からなる金属製の板状部材であり、前記プーリ部の軸方向に対して弾性を有し、前記プーリ部の軸方向の振動を吸収する構造であるプーリ装置。
【請求項２】
前記動吸振器は、前記弾性体の前記固定部が前記内径側円筒部の外径面に取り付けられる請求項１に記載のプーリ装置。
【請求項３】
前記動吸振器は、前記弾性体の前記固定部が前記外径側円筒部の内径面に取り付けられる請求項１に記載のプーリ装置。
【発明の詳細な説明】
【技術分野】
【０００１】
本発明は、プーリ装置に関し、例えば、自動車や農耕用機械などに搭載されるエンジン補機類の駆動ベルトのアイドラプーリやテンショナプーリに使用されるプーリ装置に関する。
【背景技術】
【０００２】
従来のプーリ装置として、支軸に取り付けられる玉軸受と、玉軸受の外輪に取り付けられるプーリ部と、を備えるものが知られている（例えば、特許文献１参照）。
【０００３】
そして、上記特許文献１に記載のプーリ装置の振動を吸収するために、質量体とゴムなどの弾性体で捩り振動（円周方向の振動）又は曲げ振動（径方向の振動）を吸収するダンパがハブの円筒部の内側に設けられる構造が知られている（例えば、特許文献２参照）。
【先行技術文献】
【特許文献】
【０００４】
【特許文献１】特開２００２−２２７９７０号公報
【特許文献２】実開平０５−０３４３３６号公報
【発明の概要】
【発明が解決しようとする課題】
【０００５】
ところで、上記特許文献２に記載のダンパでは、弾性体であるゴムなどをアダプタや質量体と接着するために乾燥工程が必要であり、また、接着剤に含まれる有機溶剤対策も必要であるため、製造コストが増加してしまっていた。また、上記特許文献２は、捩り振動又は曲げ振動の吸収を目的としており、軸方向の振動を吸収する効果が少なかった。
【０００６】
本発明は、前述した課題に鑑みてなされたものであり、その目的は、低コストで軸方向の振動を吸収することができるプーリ装置を提供することにある。
【課題を解決するための手段】
【０００７】
本発明の上記目的は、下記の構成により達成される。
（１）転がり軸受と、転がり軸受の外輪に取り付けられるプーリ部と、を備え、プーリ部は、外輪に取り付けられる内径側円筒部と、内径側円筒部の外径側に同心配置される外径側円筒部と、内径側円筒部と外径側円筒部の軸方向一端部同士を連結する円板状の連結部と、を有し、内径側円筒部、外径側円筒部、及び連結部により形成される内部空間に、弾性体と質量体からなる動吸振器が設けられるプーリ装置であって、動吸振器の弾性体は、円筒状の固定部と弾性部からなる金属製の板状部材であり、プーリ部の軸方向に対して弾性を有し、プーリ部の軸方向の振動を吸収する構造であるプーリ装置。
（２）動吸振器は、弾性体の固定部が内径側円筒部の外径面に取り付けられる（１）に記載のプーリ装置。
（３）動吸振器は、弾性体の固定部が外径側円筒部の内径面に取り付けられる（１）に記載のプーリ装置。
（４）質量体は、弾性体の弾性部の径方向外端部に取り付けられる（２）に記載のプーリ装置。
（５）質量体は、弾性体の弾性部の径方向内端部に取り付けられる（３）に記載のプーリ装置。
【発明の効果】
【０００８】
本発明によれば、プーリ部が、外輪に取り付けられる内径側円筒部と、内径側円筒部の外径側に同心配置される外径側円筒部と、内径側円筒部と外径側円筒部の軸方向一端部同士を連結する円板状の連結部と、を有し、内径側円筒部、外径側円筒部、及び連結部により形成される内部空間に、弾性体と質量体からなる動吸振器が設けられ、動吸振器の弾性体が、円筒状の固定部と弾性部からなる金属製の板状部材であり、プーリ部の軸方向に対して弾性を有し、プーリ部の軸方向の振動を吸収する構造であるため、従来のダンパに使用されるゴムなどを用いないので、接着剤を使用することなく、プーリ部が軸方向に振動する際の振幅を低減することができる。これにより、低コストでプーリ装置の軸方向の振動を吸収することができる。
【図面の簡単な説明】
【０００９】
【図１】本発明に係るプーリ装置の一実施形態を説明する断面図である。
【図２】本発明に係るプーリ装置の一実施形態の変形例を説明する断面図である。
【発明を実施するための形態】
【００１０】
以下、本発明に係るプーリ装置の一実施形態について、図面に基づいて詳細に説明する。
【００１１】
本実施形態のプーリ装置１０は、図１に示すように、転がり軸受２０と、転がり軸受２０の外輪２１の外周面に取り付けられるプーリ部３０と、を備える。
【００１２】
転がり軸受２０は、図１に示すように、内周面に外輪軌道面２１ａを有する外輪２１と、外周面に内輪軌道面２２ａを有する内輪２２と、外輪軌道面２１ａと内輪軌道面２２ａとの間に転動自在に配置される複数の玉２３と、複数の玉２３を周方向に等間隔に保持する保持器２４と、外輪２１の内周面の軸方向両端部に装着され、軸受空間と外部との間をシールするシール部材２５と、を備える。
【００１３】
プーリ部３０は、図１に示すように、外輪２１の外周面に取り付けられる内径側円筒部３１と、内径側円筒部３１の外径側に同心配置され、図示しないベルトが巻き掛けられる外径側円筒部３２と、内径側円筒部３１と外径側円筒部３２の軸方向一端部同士を連結する円板状の連結部３３と、を有する。また、外径側円筒部３２には、Ｖベルトが巻き掛けられるように複数のＶ字状の溝が形成されていてもよい。
【００１４】
そして、図１に示すように、プーリ部３０の内径側円筒部３１、外径側円筒部３２、及び連結部３３により形成される内部空間３４に動吸振器４０が設けられている。
【００１５】
動吸振器４０は、プーリ部３０の内径側円筒部３１の外径面に取り付けられる弾性体４１と、弾性体４１の径方向外端部に取り付けられる質量体４２と、を備える。
【００１６】
弾性体４１は、プーリ部３０の内径側円筒部３１の外径面に外嵌される円筒状の固定部４１ａと、固定部４１ａの軸方向一端部から径方向外側に延びる円盤状の弾性部４１ｂと、を有する金属製の板状部材であり、プーリ部３０の軸方向に対して弾性を有し、プーリ部３０の軸方向の振動を吸収する構造である。
【００１７】
そして、弾性体４１は、金属製の薄板をプレス加工することにより形成されている。このため、弾性体４１の加工コストを低減することができる。また、弾性体４１は、プーリ部３０の内径側円筒部３１の外径面に圧入により固定されている。このため、接着剤で固定する場合と比較して、接着剤の乾燥工程や接着剤に含まれる有機溶剤対策が不要となるので、製造コストを低減することができる。
【００１８】
質量体４２は、鉛などの金属製の円環状部材であり、弾性体４１の弾性部４１ｂの径方向外端部の一方面にネジやリベットなどにより固定されている。
【００１９】
以上説明したように、本実施形態のプーリ装置１０によれば、プーリ部３０の内径側円筒部３１、外径側円筒部３２、及び連結部３３により形成される内部空間３４に、弾性体４１と質量体４２からなる動吸振器４０が設けられ、動吸振器４０の弾性体４１が、円筒状の固定部４１ａと円盤状の弾性部４１ｂからなる金属製の板状部材であり、プーリ部３０の軸方向に対して弾性を有し、プーリ部３０の軸方向の振動を吸収する構造であるため、従来のダンパに使用されるゴムなどを用いないので、接着剤を使用することなく、プーリ部３０が軸方向に振動する際の振幅を低減することができる。これにより、低コストでプーリ装置１０の軸方向の振動を吸収することができる。
【００２０】
また、本実施形態のプーリ装置１０の変形例として、図２に示すように、動吸振器４０は、プーリ部３０の外径側円筒部３２の内径面に取り付けられていてもよい。この場合、動吸振器４０の弾性体４１は、プーリ部３０の外径側円筒部３２の内径面に内嵌される固定部４１ａと、固定部４１ａの軸方向一端部から径方向内側に延びる弾性部４１ｂと、を有し、弾性部４１ｂの径方向内端部に質量体４２が取り付けられている。
【００２１】
なお、本発明は上記実施形態に例示したものに限定されるものではなく、本発明の要旨を逸脱しない範囲において適宜変更可能である。
例えば、上記実施形態では、弾性体の弾性部は円盤状であるが、これ限定されず、弾性部は周方向で略等間隔に分割して設けられていてもよい。この場合、分割して設けられた弾性部に質量体を個別に取り付けても、１つの円環状の質量体を取り付けてもよい。
【符号の説明】
【００２２】
１０    プーリ装置
２０    転がり軸受
２１    外輪
２２    内輪
２３    玉
２４    保持器
２５    シール部材
３０    プーリ部
３１    内径側円筒部
３２    外径側円筒部
３３    連結部
３４    内部空間
４０    動吸振器
４１    弾性体
４１ａ  固定部
４１ｂ  弾性部
４２    質量体
【図１】
2017115999.tif 000003
【図２】
2017115999.tif 000004